(57)【要約】    【課題】  ＴＶ放送を映像ソースとする映像を光源に固体光源を用いたプロジェクタやバックライトに固体光源を用いた液晶表示装置を用いて表示する場合にも原映像に忠実な色再現が可能で不自然な色合いになってしまうことのない表示装置を提供することを目的とする。    【解決手段】  赤色光用の固体光源１０Ｒ、緑色光用の固体光源１０Ｇ及び青色光用の固体光源１０Ｂを有する光源１０と、光源１０からの光を変調して画像光を生成する液晶素子２０Ｒ，２０Ｇ，２０Ｂとを備えるプロジェクタ１において、  赤色光用の固体光源１０Ｒ、緑色光用の固体光源１０Ｇ及び青色光用の固体光源１０Ｂのそれぞれは、ＴＶカメラ撮影時の分光特性に近似した発光帯域特性を有する準単色光を放射することを特徴とするプロジェクタ。【選択図】  図２
2006317739.tif 000002
【特許請求の範囲】
【請求項１】
赤色光用の固体光源、緑色光用の固体光源及び青色光用の固体光源を有する光源と、前記光源からの光を変調して画像光を生成する電気光学変調素子とを備える表示装置において、
前記赤色光用の固体光源、前記緑色光用の固体光源及び前記青色光用の固体光源のそれぞれは、ＴＶカメラ撮影時の分光特性に近似した発光帯域特性を有する準単色光を放射することを特徴とする表示装置。
【請求項２】
請求項１に記載の表示装置において、
前記赤色光用の固体光源、前記緑色光用の固体光源及び前記青色光用の固体光源のそれぞれは、異なる発光スペクトルを有する２種類以上の固体光源を有することを特徴とする表示装置。
【請求項３】
請求項１又は２に記載の表示装置において、
前記赤色光用の固体光源、前記緑色光用の固体光源及び前記青色光用の固体光源のそれぞれと、前記電気光学変調素子との間には、分光フィルタが設けられていることを特徴とする表示装置。
【請求項４】
請求項１〜３のいずれかに記載の表示装置において、
前記ＴＶカメラ撮影時の分光特性は、ＥＢＵ（European Broadcast Union（欧州放送連合））が規定する色度図に準拠したＴＶカメラを用いた撮影時の分光特性であることを特徴とする表示装置。
【請求項５】
請求項１〜４のいずれかに記載の表示装置において、
前記赤色光用の固体光源、前記緑色光用の固体光源及び前記青色光用の固体光源のそれぞれは、前記２種類以上の固体光源のうち１種類の固体光源が赤色光、緑色光又は青色光に係る単色光を放射する固体光源であり、
ＴＶ放送を映像ソースとする映像を表示するためのモードであって、前記赤色光用の固体光源、前記緑色光用の固体光源及び前記青色光用の固体光源のそれぞれが前記準単色光を放射するＴＶ放送等表示モードと、前記赤色光用の固体光源、前記緑色光用の固体光源及び前記青色光用の固体光源のそれぞれが前記単色光を放射する広色域表示モードとを選択可能なモード選択装置をさらに備えることを特徴とする表示装置。
【請求項６】
請求項１〜５のいずれかに記載の表示装置において、
前記固体光源がＬＥＤであることを特徴とする表示装置。
【請求項７】
請求項１〜６のいずれかに記載の表示装置において、
前記表示装置がプロジェクタであることを特徴とする表示装置。
【請求項８】
請求項１〜６のいずれかに記載の表示装置において、
前記表示装置が液晶表示装置であることを特徴とする表示装置。
【発明の詳細な説明】
【技術分野】
【０００１】
本発明は、表示装置に関する。
【背景技術】
【０００２】
プロジェクタの光源や液晶表示装置のバックライトにＬＥＤ（発光ダイオード）を用いた表示装置が従来より知られている（例えば、特許文献１及び２並びに非特許文献１参照。）。
【０００３】
光源にＬＥＤを用いたプロジェクタやバックライトにＬＥＤを用いた液晶表示装置によれば、ＬＥＤの色再現領域を、従来からプロジェクタの光源に用いられている発光管の色再現領域や従来から液晶表示装置のバックライトに用いられている蛍光管の色再現領域よりも広くすることが可能になるため、色再現能力をより豊かなものにすることが可能になる。
【０００４】
【特許文献１】特開２００１−３４３７０６号公報
【特許文献２】特開２００３−１０７４７２号公報
【非特許文献１】ＱＵＡＬＩＡ００５ホームページのトリルミナス説明欄（http://www.sony.jp/products/Consumer/QUALIA/jp/products/005/index1.html）
【発明の開示】
【発明が解決しようとする課題】
【０００５】
しかしながら、光源にＬＥＤを用いたプロジェクタやバックライトにＬＥＤを用いた液晶表示装置においては、ＴＶ放送を映像ソースとする映像を表示する場合には必ずしも原映像に忠実な色再現ができずに不自然な色合いになってしまうという問題があった。
【０００６】
なお、この明細書中で、「ＴＶ放送を映像ソースとする映像を表示する」とは、ＴＶ放送を通じて送信されてくる映像をそのまま表示することのほか、この映像をＨＤＤ・ＤＶＤレコーダーなどの映像機器で一旦録画したものを再生して表示することも含まれる。
【０００７】
また、上記問題は、光源にＬＥＤを用いたプロジェクタやバックライトにＬＥＤを用いた液晶表示装置に限られるものでなく、ＬＥＤに代えてＬＤ（半導体レーザー）やＥＬ（エレクトロルミネッセンス）を用いた場合にも同様に見られる問題である。すなわち、光源に固体光源を用いたプロジェクタやバックライトに固体光源を用いた液晶表示装置などの表示装置全般に見られる問題である。
【０００８】
そこで、本発明は、ＴＶ放送を映像ソースとする映像を光源に固体光源を用いたプロジェクタやバックライトに固体光源を用いた液晶表示装置を用いて表示する場合に原映像に忠実な色再現が可能で不自然な色合いになってしまうことのない表示装置を提供することを目的とする。
【課題を解決するための手段】
【０００９】
本発明者は、上記した目的を達成すべく鋭意努力を重ねた結果、光源に固体光源を用いたプロジェクタやバックライトに固体光源を用いた液晶表示装置を用いてＴＶ放送を映像ソースとする映像を表示する場合に、原映像に忠実な色再現ができずに不自然な色合いになってしまう原因が、固体光源の発光帯域特性がＴＶカメラ撮影時の分光特性と近似していないことにあるという重要な知見を得た。すなわち、固体光源の発光特性はＴＶカメラ撮影時の色表現領域と必ずしも一致していないのである。
【００１０】
そして、本発明者は、この知見に基づいて、固体光源の色再現領域をＴＶカメラ撮影時の色表現領域と近似させれば、光源に固体光源を用いたプロジェクタやバックライトに固体光源を用いた液晶表示装置を用いてＴＶ放送を映像ソースとする映像を表示する場合に原映像に忠実な色再現が可能になることに想到し、本発明を完成するに至った。
【００１１】
すなわち、本発明の表示装置は、赤色光用の固体光源、緑色光用の固体光源及び青色光用の固体光源を有する光源と、前記光源からの光を変調して画像光を生成する電気光学変調素子とを備える表示装置において、前記赤色光用の固体光源、前記緑色光用の固体光源及び前記青色光用の固体光源のそれぞれは、ＴＶカメラ撮影時の分光特性に近似した発光帯域特性を有する準単色光を放射することを特徴とする。
【００１２】
このため、本発明の表示装置によれば、赤色光用の固体光源、緑色光用の固体光源及び青色光用の固体光源のそれぞれが、ＴＶカメラ撮影時の分光特性に近似した発光帯域特性を有する準単色光を放射する固体光源であるため、ＴＶ放送を映像ソースとする映像を表示する場合に原映像に忠実な色再現が可能で、不自然な色合いになってしまうことのない表示装置を提供することが可能になる。
【００１３】
本発明の表示装置においては、前記赤色光用の固体光源、前記緑色光用の固体光源及び前記青色光用の固体光源のそれぞれは、異なる発光スペクトルを有する２種類以上の固体光源を有することが好ましい。
【００１４】
このように構成することにより、赤色光用の固体光源、緑色光用の固体光源及び青色光用の固体光源のそれぞれを、ＴＶカメラ撮影時の分光特性に近似した帯域特性を有する準単色光を放射し、ＴＶカメラ撮影時の色表現領域に近似した色再現領域を有するプロジェクタを構成することが容易になる。
【００１５】
本発明の表示装置においては、前記赤色光用の固体光源、前記緑色光用の固体光源及び前記青色光用の固体光源のそれぞれと、前記電気光学変調素子との間には、分光フィルタが設けられていることが好ましい。
【００１６】
このように構成することにより、各色光用の固体光源と電気光学変調素子との間に適切な分光フィルタを設けることにより、赤色光用の固体光源、緑色光用の固体光源及び青色光用の固体光源のそれぞれを、ＴＶカメラ撮影時の分光特性に近似した帯域特性を有する準単色光を放射するように構成することがさらに容易になる。
【００１７】
本発明の表示装置においては、前記ＴＶカメラ撮影時の分光特性は、ＥＢＵ（European Broadcast Union（欧州放送連合））が規定する色度図に準拠したＴＶカメラを用いた撮影時の分光特性であることが好ましい。
【００１８】
現在のＴＶ放送のシステムにおいては、ＥＢＵが規定する色度図に準拠したＴＶカメラを用いて映像を撮影することとしているため、上記のように構成することにより、赤色光用の固体光源、緑色光用の固体光源及び青色光用の固体光源のそれぞれを、現在のＴＶ放送のシステムに適合した準単色光を放射するように構成することがさらに容易になる。
【００１９】
本発明の表示装置においては、前記赤色光用の固体光源、前記緑色光用の固体光源及び前記青色光用の固体光源のそれぞれは、前記２種類以上の固体光源のうち１種類の固体光源が赤色光、緑色光又は青色光に係る単色光を放射する固体光源であり、ＴＶ放送を映像ソースとする映像を表示するためのモードであって前記赤色光用の固体光源、前記緑色光用の固体光源及び前記青色光用の固体光源のそれぞれが前記準単色光を放射するＴＶ放送等表示モードと、前記赤色光用の固体光源、前記緑色光用の固体光源及び前記青色光用の固体光源のそれぞれが前記単色光を放射する広色域モードとを選択可能なモード選択装置をさらに備えることが好ましい。
【００２０】
表示装置は、ＴＶ放送を映像ソースとする映像を表示することの他に、ＴＶ放送を映像ソースとしない映像等（映画を映像ソースとする映像、ＴＶ放送のシステムとは異なった規格で撮影された映像・画像（家庭用ビデオカメラで撮影された映像、デジタルカメラで撮影された映像・画像）を映像・画像ソースとする映像・画像、ゲームを映像ソースとする映像、ＰＣ画面を映像・画像ソースとする映像・画像）を表示することがある。このような場合には、広色域モードを選択することにより、そのような映像を従来よりも高い色再現能力をもって表示することが可能になる。もちろん、本発明の表示装置によれば、ＴＶ放送を映像ソースとする映像を表示する場合には、ＴＶ放送等表示モードを選択することにより、そのような映像を、原映像に忠実な色再現が可能で不自然な色合いになってしまうことのない表示モードで表示することが可能になる。
【００２１】
本発明の表示装置においては、前記固体光源がＬＥＤであることが好ましい。
【００２２】
固体光源には、ＬＥＤ（発光ダイオード）、ＬＤ（半導体レーザー）、ＥＬ（エレクトロルミネッセンス）などがあるが、これらの固体光源のうちＬＥＤを用いることにより、発光スペクトルの調整が容易、高輝度、かつ、低消費電力の表示装置を構成することができる。
【００２３】
本発明の表示装置は、プロジェクタであってもよいし液晶表示装置であってもよい。
【００２４】
前者の場合には、ＴＶカメラ撮影時の分光特性に近似した帯域特性を有する準単色光を放射する固体光源をプロジェクタの光源に用いることにより、後者の場合には、ＴＶカメラ撮影時の分光特性に近似した帯域特性を有する準単色光を放射する固体光源を液晶表示装置のバックライトに用いることにより、ＴＶ放送を映像ソースとする映像を表示する場合に原映像に忠実な色再現が可能で、不自然な色合いになってしまうことのない表示装置を提供することが可能になる。
【発明を実施するための最良の形態】
【００２５】
以下、本発明のプロジェクタについて、図に示す実施の形態に基づいて説明する。
【００２６】
〔実施形態１〕
実施形態１に係る表示装置は、光源に固体光源を用いたプロジェクタ１である。
【００２７】
図１は、プロジェクタ１の光学系を示す図である。図２及び図３は、プロジェクタ１における各固体光源１０Ｒ，１０Ｇ，１０Ｂの発光帯域特性を示す図である。図３（ａ）は赤色光用の固体光源１０Ｒの発光帯域特性を示す図であり、図３（ｂ）は緑色光用の固体光源１０Ｇの発光帯域特性を示す図であり、図３（ｃ）は青色光用の固体光源１０Ｂの発光帯域特性を示す図である。図４は、一般的なＴＶカメラ撮影時の分光特性を示す図である。図５は、比較例に係るプロジェクタ１ａにおける各固体光源の発光帯域特性を示す図である。図６は、画像の色表現領域を説明するために示す図である。
【００２８】
プロジェクタ１は、図１に示すように、赤色光用の固体光源１０Ｒ、緑色光用の固体光源１０Ｇ及び青色光用の固体光源１０Ｂを有する光源１０と、光源１０からの赤色光、緑色光及び青色光をそれぞれ変調して画像光を生成する赤色光用の液晶素子２０Ｒ、緑色光用の液晶素子２０Ｇ及び青色光用の液晶素子２０Ｂを有する電気光学変調素子２０と、これら３つの液晶素子２０Ｒ，２０Ｇ，２０Ｂによって変調された各色光を合成するクロスダイクロイックプリズム３０と、クロスダイクロイックプリズム３０によって合成された光をスクリーン５０等の投写面に投写する投写レンズ４０とを備えている。
【００２９】
赤色光用の固体光源１０Ｒ、緑色光用の固体光源１０Ｇ及び青色光用の固体光源１０Ｂのそれぞれは、面内に多数のＬＥＤを有している。
【００３０】
なお、光源１０と電気光学変調素子２０との間には、光源１０からの光の照度分布を均一化させるための均一照明系として、ロッドインテグレータ光学系やレンズインテグレータ光学系を配置することもできる。
【００３１】
プロジェクタ１においては、赤色光用の固体光源１０Ｒ、緑色光用の固体光源１０Ｇ及び青色光用の固体光源１０Ｂのそれぞれは、図２及び図３に示すように、ＴＶカメラ撮影時の色表現領域（図６の実線で示す領域）に近似した発光帯域特性を有する準単色光を放射するように構成されている。なお、ＴＶカメラの撮像素子の分光特性は、図６の実線で示すＥＢＵが規定する色度図に準拠する。
【００３２】
ここで、プロジェクタの色再現領域を、ＥＢＵで規定される色再現領域に近似させる方法について説明する。
比較例１に係るプロジェクタ１ａは、光源として、約６１５ｎｍのピーク波長の発光スペクトルＲ０を有する赤色ＬＥＤと、約５３５ｎｍのピーク波長の発光スペクトルＧ０を有する緑色ＬＥＤと、約４６５ｎｍのピーク波長の発光スペクトルＢ０を有する青色ＬＥＤとを有している。プロジェクタ１ａにおいては、色度図上の色再現領域は、（Ｒ’（ｘ＝０．６７、ｙ＝０．３３）、Ｇ’（ｘ＝０．１９、ｙ＝０．７８）、Ｂ’（ｘ＝０．１３、ｙ＝０．０４））からなる三角形で囲まれる領域（図示せず。）である。
【００３３】
プロジェクタの色再現領域を、ＥＢＵで規定される色再現領域（Ｒ  （ｘ＝０．６４、ｙ＝０．３３）、Ｇ  （ｘ＝０．２９、ｙ＝０．６０）、Ｂ  （ｘ＝０．１５、ｙ＝０．０６））に近似させるには、プロジェクタ１ａにおける赤色ＬＥＤ、緑色用ＬＥＤ及び青色ＬＥＤに代えて、以下に示すように準赤色光を放射する赤色光用の固体光源、準緑色光を放射する緑色光用の固体光源及び準青色光を放射する青色光用の固体光源を用いるようにする。
【００３４】
すなわち、赤色光用の固体光源としては、約６１５ｎｍのピーク波長の発光スペクトルＲ０を有する赤色ＬＥＤ（相対発光強度が１．００）及び約５００ｎｍのピーク波長の発光スペクトルＲ１を有する青緑色ＬＥＤ（相対発光強度が０．１５）を用いる。
また、緑色光用の固体光源としては、約５０５ｎｍのピーク波長の発光スペクトルＧ１を有する青緑色ＬＥＤ（相対発光強度が１．００）及び約５６５ｎｍのピーク波長の発光スペクトルＧ２を有する黄緑色ＬＥＤ（相対発光強度が１．００）を用いる。
また、青色光用の固体光源としては、約４６５ｎｍのピーク波長の発光スペクトルＢ０を有する青色ＬＥＤ（相対発光強度が１．００）及び約５７０ｎｍのピーク波長の発光スペクトルＢ１を有する黄緑色ＬＥＤ（相対発光強度が０．０５）を用いる。
なる。
【００３５】
このように、プロジェクタ１ａにおける赤色ＬＥＤ、緑色用ＬＥＤ及び青色ＬＥＤに代えて、上記したように準赤色光を放射する赤色光用の固体光源、準緑色光を放射する緑色光用の固体光源及び準青色光を放射する青色光用の固体光源を用いることにより、色再現領域を、ＥＢＵで規定される色再現領域に近似する色再現領域とすることができる。
【００３６】
なお、準赤色光を放射する赤色光用の固体光源、準緑色光を放射する緑色光用の固体光源及び準青色光を放射する青色光用の固体光源の構成としては、上記した例に限定されるものではなく、用いるＬＥＤの数やピーク波長を適宜選択することにより種々の構成が可能である。
【００３７】
このため、プロジェクタ１によれば、ＴＶ放送を映像ソースとする映像を表示する場合に原映像に忠実な色再現が可能で、不自然な色合いになってしまうことのない表示装置を提供することが可能になる。
【００３８】
プロジェクタ１の効果を、比較例１に係るプロジェクタ１ａ（図示せず。）を参照しながら説明する。プロジェクタ１ａは、プロジェクタ１と基本的には同様の構成を有しているが、光源に単色光（赤色光、緑色光又は青色光）を放射する１種類のＬＥＤ（赤色ＬＥＤ、緑色ＬＥＤ及び青色ＬＥＤ）を用いた点で異なっている。
【００３９】
ＴＶカメラにおいては、入射光を、図４に示すような分光特性を有するＲＧＢのフィルタを介して色分離した後に、ＣＣＤなどの光電変換素子により映像信号を生成するようにしている。
【００４０】
この場合、プロジェクタ１ａにおいては、図５に示すように、固体光源の発光波長帯域はＴＶカメラ撮影時の分光波長帯域よりも極めて狭帯域である。このため、プロジェクタ１ａは、広い色再現領域（図６の破線で示すＮＴＳＣに近似する色再現領域）を有するようになる。その一方において、プロジェクタ１ａにおいては、ＴＶカメラ撮影時の色表現領域（図６の実線で示すＥＢＵで示す領域）に近似しなくなるため、原映像に忠実な色再現ができずに不自然な色合いになってしまう。
【００４１】
これに対して、プロジェクタ１においては、図６に示すように、固体光源で再現可能な色の領域（色再現領域）とＴＶカメラ撮影時のデータ化される色の領域とがともにＥＢＵが規定する色度図に近似するようになり、原映像に忠実な色再現が可能で不自然な色合いになってしまうことのない表示を行うことが可能になる。
【００４２】
以上説明したように、プロジェクタ１においては、各固体光源（赤色光用の固体光源１０Ｒ、緑色光用の固体光源１０Ｇ及び青色光用の固体光源１０Ｂ）は、図２及び図３に示すように、異なる発光スペクトルを有する２種類のＬＥＤを有している。
【００４３】
このため、各固体光源（赤色光用の固体光源１０Ｒ、緑色光用の固体光源１０Ｇ及び青色光用の固体光源１０Ｂ）は、上記したように異なる発光スペクトルを有する２種類以上のＬＥＤを有するため、赤色光用の固体光源、緑色光用の固体光源及び青色光用の固体光源のそれぞれを、ＴＶカメラ撮影時の分光特性に近似した帯域特性（図４参照。）を有する準単色光を放射し、ＴＶカメラ撮影時の色表現領域に近似した色再現領域を有するプロジェクタを構成することが容易になる。
【００４４】
プロジェクタ１においては、図４に示すＴＶカメラ撮影時の分光特性は、ＥＢＵ（European Broadcast Union（欧州放送連合））が規定する色度図に準拠したＴＶカメラを用いた撮影時の分光特性としている。
【００４５】
このため、プロジェクタ１によれば、赤色光用の固体光源１０Ｒ、緑色光用の固体光源１０Ｇ及び青色光用の固体光源１０Ｂのそれぞれを、現在のＴＶ放送のシステムに適合した準単色光を放射するように構成することがさらに容易になる。
【００４６】
プロジェクタ１においては、上記したように、赤色光用の固体光源１０Ｒ、緑色光用の固体光源１０Ｇ及び青色光用の固体光源１０Ｂのそれぞれは、固体光源のなかでもＬＥＤを用いているため、ＬＤやＥＬを用いた場合と比較して、発光スペクトルの調整が容易、高輝度、かつ、低消費電力のプロジェクタを構成することができる。
【００４７】
〔実施形態２〕
実施形態２に係る表示装置は、バックライトにＬＥＤを用いた液晶表示装置１０１である。
【００４８】
図７は、液晶表示装置１０１の構成を示す図である。図８は、液晶表示装置１０１における各固体光源１１０Ｒ，１１０Ｇ，１１０Ｂの発光帯域特性を示す図である。
【００４９】
液晶表示装置１０１は、図７に示すように、バックライト１１０と、バックライト１１０からの光を変調する電気光学変調素子としての液晶パネル１２０とを備えている。バックライト１１０は、赤色光用の固体光源１１０Ｒ（図示せず。）、緑色光用の固体光源１１０Ｇ（図示せず。）及び青色光用の固体光源１１０Ｂ（図示せず。）と、これら赤色光用の固体光源１１０Ｒ、緑色光用の固体光源１１０Ｇ及び青色光用の固体光源１１０Ｂからの光を液晶パネル１２０に導く導光板（図示せず。）とを有している。液晶パネル１２０は、２枚の透明基板１２１，１２２と、２枚の透明基板１２１，１２２を一定の空隙を有する状態で封止する封止部１２３と、ブラックマトリクス１２４と、赤色光用のカラーフィルタ１２５Ｒ、緑色光用のカラーフィルタ１２５Ｇ及び青色光用のカラーフィルタ１２５Ｂと、液晶層１２６とを有している。
【００５０】
赤色光用の固体光源１１０Ｒ、緑色光用の固体光源１１０Ｇ及び青色光用の固体光源１１０Ｂのそれぞれは、多数のＬＥＤからなっている。
【００５１】
なお、バックライト１１０の導光板には、バックライト１１０からの光の照度分布を均一化させるためのパターンが形成されている。
【００５２】
液晶表示装置１０１においては、赤色光用の固体光源１１０Ｒ、緑色光用の固体光源１１０Ｇ及び青色光用の固体光源１１０Ｂのそれぞれは、プロジェクタ１の場合と同様に、ＴＶカメラ撮影時の分光特性に近似した発光帯域特性を有する準単色光を放射し、ＴＶカメラ撮影時の色表現領域に近似した色再現領域を有する液晶表示装置とするように構成されている。
【００５３】
このため、各固体光源（赤色光用の固体光源１１０Ｒ、緑色光用の固体光源１１０Ｇ及び青色光用の固体光源１１０Ｂ）は、プロジェクタ１の場合と同様に、ＴＶカメラ撮影時の分光特性に近似した発光帯域特性を有する準単色光を放射し、ＴＶカメラ撮影時の色表現領域に近似した色再現領域を有する液晶表示装置とするように構成されているため、ＴＶ放送を映像ソースとする映像を表示する場合に原映像に忠実な色再現が可能で、不自然な色合いになってしまうことのない表示装置を提供することが可能になる。
【００５４】
液晶表示装置１０１においては、各固体光源（赤色光用の固体光源１１０Ｒ、緑色光用の固体光源１１０Ｇ及び青色光用の固体光源１１０Ｂ）は、プロジェクタ１の場合と同様に、異なる発光スペクトルを有する２種類のＬＥＤを有している。具体的には、図８に示すように、赤色光用の固体光源１１０Ｒは約６１５ｎｍのピーク波長を有する発光スペクトルＲ０及び約５００ｎｍのピーク波長を有する発光スペクトルＲ１を有している。緑色光用の固体光源１１０Ｇは約５０５ｎｍのピーク波長を有する発光スペクトルＧ１及び約５６５ｎｍのピーク波長を有する発光スペクトルＧ２を有している。青色光用の固体光源１１０Ｂは約４６５ｎｍのピーク波長を有する発光スペクトルＢ０及び約５７０ｎｍのピーク波長を有する発光スペクトルＢ１を有している。
【００５５】
このため、各固体光源（赤色光用の固体光源１１０Ｒ、緑色光用の固体光源１１０Ｇ及び青色光用の固体光源１１０Ｂ）は、上記したように異なる発光スペクトルを有する２種類以上のＬＥＤを有するため、赤色光用の固体光源、緑色光用の固体光源及び青色光用の固体光源のそれぞれを、ＴＶカメラ撮影時の分光特性に近似した帯域特性を有する準単色光を放射するようにし、ＴＶカメラ撮影時の色表現領域に近似した色再現領域を有する液晶表示装置を構成することが容易になる。
【００５６】
液晶表示装置１０１においては、プロジェクタ１の場合と同様に、ＴＶカメラ撮影時の分光特性は、ＥＢＵ（European Broadcast Union（欧州放送組織））が規定する色度図に準拠したＴＶカメラを用いた撮影時の分光特性としている。
【００５７】
このため、液晶表示装置１０１によれば、赤色光用の固体光源１１０Ｒ、緑色光用の固体光源１１０Ｇ及び青色光用の固体光源１１０Ｂのそれぞれを、現在のＴＶ放送のシステムに適合した準単色光を放射するように構成することがさらに容易になる。
【００５８】
液晶表示装置１０１においては、上記したように、赤色光用の固体光源１１０Ｒ、緑色光用の固体光源１１０Ｇ及び青色光用の固体光源１１０Ｂのそれぞれは、異なる発光スペクトルを有する２種類のＬＥＤを有している。
【００５９】
このため、固体光源として、ＬＤやＥＬを用いた場合と比較して、発光スペクトルの調整が容易、高輝度、かつ、低消費電力の液晶表示装置を構成することができる。
【００６０】
〔実施形態３〕
実施形態３に係る表示装置は、光源に固体光源を用いたプロジェクタ２０１である。
【００６１】
図９は、プロジェクタ２０１の光学系を示す図である。図１０は、プロジェクタ２０１における各固体光源２１０Ｒ，２１０Ｇ，２１０Ｂの発光帯域特性を説明するために示す図である。図１１は、プロジェクタ２０１をＴＶ放送等表示モードで用いたときの各固体光源２１０Ｒ，２１０Ｇ，２１０Ｂの発光帯域特性を示す図である。図１１（ａ）は赤色光用の固体光源２１０Ｒの発光帯域特性を示す図であり、図１１（ｂ）は緑色光用の固体光源２１０Ｇの発光帯域特性を示す図であり、図１１（ｃ）は青色光用の固体光源２１０Ｂの発光帯域特性を示す図である。図１２は、プロジェクタ２０１を広色域表示モードで用いたときの各固体光源２１０Ｒ，２１０Ｇ，２１０Ｂの発光帯域特性を示す図である。図１２（ａ）は赤色光用の固体光源２１０Ｒの発光帯域特性を示す図であり、図１２（ｂ）は緑色光用の固体光源２１０Ｇの発光帯域特性を示す図であり、図１２（ｃ）は青色光用の固体光源２１０Ｂの発光帯域特性を示す図である。
【００６２】
プロジェクタ２０１は、図９に示すように、基本的にはプロジェクタ１と同じ構成を有しているが、図１０〜図１２に示すように、（ア）赤色光用の固体光源２１０Ｒ、緑色光用の固体光源２１０Ｇ及び青色光用の固体光源２１０Ｂのそれぞれは、２種類以上の固体光源のうち１種類の固体光源が赤色光、緑色光又は青色光に係る単色光を放射する固体光源である点、及び（イ）プロジェクタをＴＶ放送等を表示するのに適したＴＶ放送等示モードと、映像を高い色再現能力をもって表示するのに適した広色域表示モードとを選択可能なモード選択装置（図示せず。）を備える点で、プロジェクタ１とは異なっている。
【００６３】
このように、プロジェクタ２０１は、上記のような点でプロジェクタ１とは異なっているが、赤色光用の固体光源２１０Ｒ、緑色光用の固体光源２１０Ｇ及び青色光用の固体光源２１０Ｂのそれぞれは、プロジェクタ１の場合と同様に、ＴＶカメラ撮影時の分光特性に近似した発光帯域特性を有する準単色光を放射し、ＴＶカメラ撮影時の色表現領域に近似した色再現領域を有するプロジェクタとするように構成されているため、プロジェクタ１が有する以下の効果を有する。
【００６４】
すなわち、各固体光源（赤色光用の固体光源２１０Ｒ、緑色光用の固体光源２１０Ｇ及び青色光用の固体光源２１０Ｂ）は、ＴＶカメラ撮影時の分光特性に近似した発光帯域特性を有する準単色光を放射し、ＴＶカメラ撮影時の色表現領域に近似した色再現領域を有するプロジェクタとするように構成されているため、ＴＶ放送を映像ソースとする映像を表示する場合に原映像に忠実な色再現が可能で、不自然な色合いになってしまうことのない表示装置を提供することが可能になる。
【００６５】
また、プロジェクタ２０１によれば、各固体光源（赤色光用の固体光源２１０Ｒ、緑色光用の固体光源２１０Ｇ及び青色光用の固体光源２１０Ｂ）は、２種類以上の固体光源のうち１種類の固体光源が赤色光、緑色光又は青色光に係る単色光を放射する固体光源であり、ＴＶ放送等表示モードと広色域モードとを選択可能なモード選択装置をさらに備えているため、ＴＶ放送を映像ソースとしない映像等（映画を映像ソースとする映像、ＴＶ放送のシステムとは異なった規格で撮影された映像・画像（家庭用ビデオカメラで撮影された映像、デジタルカメラで撮影された映像・画像）を映像・画像ソースとする映像・画像、ゲームを映像ソースとする映像、ＰＣ画面を映像・画像ソースとする映像・画像）を表示する場合には、広色域モードを選択することにより、そのような映像を従来よりも高い色再現能力をもって表示することが可能になり、ＴＶ放送を映像ソースとする映像を表示する場合には、ＴＶ放送等表示モードを選択することにより、原映像に忠実な色再現が可能で不自然な色合いになってしまうことのない表示をすることが可能になる。
【００６６】
以上、本発明の表示装置を上記の各実施形態に基づいて説明したが、本発明は上記の各実施形態に限られるものではなく、その要旨を逸脱しない範囲において種々の態様において実施することが可能であり、例えば次のような変形も可能である。
【００６７】
（１）実施形態１又は３のプロジェクタ１、２０１は、電気光学変調素子として、透過型の液晶素子を用いた透過型のプロジェクタであるが、本発明はこれに限定されるものではなく、反射型の液晶素子や、反射型のマイクロミラー型光変調素子などを用いることもできる。
【００６８】
（２）実施形態１又は３のプロジェクタ１，２０１は、フロント型のプロジェクタであってもよいし、リア型のプロジェクタであってもよい。
【００６９】
（３）実施形態２の液晶表示装置１０１は、大型の液晶表示装置（大型液晶テレビなど）であってもよいし、中型の液晶表示装置（ＰＣモニターなど）であってもよいし、小型の液晶表示装置（携帯電話やＰＤＡ用の表示装置）であってもよい。
【００７０】
（４）実施形態１若しくは３のプロジェクタ１，２０１又は実施形態２に係る液晶表示装置１０１においては、光源（赤色光用の固体光源、緑色光用の固体光源及び青色光用の固体光源）と電気光学変調素子との間には、分光フィルタを設けることもできる。
このように構成することにより、赤色光用の固体光源、緑色光用の固体光源及び青色光用の固体光源のそれぞれを、ＴＶカメラ撮影時の分光特性に近似した帯域特性を有する準単色光を放射し、ＴＶカメラ撮影時の色表現領域に近似した色再現領域を有する表示装置とするように構成することがさらに容易になる。
【図面の簡単な説明】
【００７１】
【図１】プロジェクタ１の光学系を示す図。
【図２】プロジェクタ１における各固体光源１０Ｒ，１０Ｇ，１０Ｂの発光帯域特性を示す図。
【図３】プロジェクタ１における各固体光源１０Ｒ，１０Ｇ，１０Ｂの発光帯域特性を示す図。
【図４】一般的なＴＶカメラ撮影時の分光特性を示す図。
【図５】比較例に係るプロジェクタ１ａにおける各固体光源の発光帯域特性を示す図。
【図６】画像の色表現領域を説明するために示す図。
【図７】液晶表示装置１０１の構成を示す図。
【図８】液晶表示装置１０１における各固体光源１１０Ｒ，１１０Ｇ，１１０Ｂの発光帯域特性を示す図。
【図９】プロジェクタ２０１の光学系を示す図。
【図１０】プロジェクタ２０１における各固体光源２１０Ｒ，２１０Ｇ，２１０Ｂの発光帯域特性を説明するために示す図。
【図１１】プロジェクタ２０１をＴＶ放送等表示モードで用いたときの各固体光源２１０Ｒ，２１０Ｇ，２１０Ｂの発光帯域特性を示す図。
【図１２】プロジェクタ２０１を広色域表示モードで用いたときの各固体光源２１０Ｒ，２１０Ｇ，２１０Ｂの発光帯域特性を示す図。
【符号の説明】
【００７２】
１０，１１０，２１０…光源、１０Ｒ，１１０Ｒ，２１０Ｒ…赤色光用の固体光源、１０Ｇ，１１０Ｇ，２１０Ｇ…緑色光用の固体光源、１０Ｂ，１１０Ｂ，２１０Ｂ…青色光用の固体光源、２０…液晶素子、２０Ｒ…赤色光用の液晶素子、２０Ｇ…緑色光用の液晶素子、２０Ｂ…青色光用の液晶素子、３０…クロスダイクロイックプリズム、４０…投写レンズ、５０…スクリーン、１０１…液晶表示装置、１１０…バックライト、１２０…液晶パネル、１２１，１２２…透明基板、１２３…封止部、１２４…ブラックマトリクス、１２５Ｒ…赤色光用のカラーフィルタ、１２５Ｇ…緑色光用のカラーフィルタ、１２５Ｂ…青色光用のカラーフィルタ、１２６…液晶層
【図２】
2006317739.tif 000003
【図４】
2006317739.tif 000004
【図５】
2006317739.tif 000005
【図６】
2006317739.tif 000006
【図８】
2006317739.tif 000007
【図１０】
2006317739.tif 000008
【図１】
2006317739.tif 000009
【図３】
2006317739.tif 000010
【図７】
2006317739.tif 000011
【図９】
2006317739.tif 000012
【図１１】
2006317739.tif 000013
【図１２】
2006317739.tif 000014